(57)【要約】【課題】何らかの原因によってアクセルペダルが戻らない事態に陥っても駆動力を十分に低減できる車両の駆動力制御装置を提供する。【解決手段】アクセルペダル及びブレーキペダルの両方の踏み込みに基づいてフェールセーフ制御が必要であるか否かを判定するフェールセーフ判定部(１１０)と、アクセル操作量に基づいてエンジンを制御するための制御用アクセル操作量を設定し、フェールセーフ制御が必要であるときに制限された制御用アクセル操作量に基づいてエンジン出力を制限するエンジン制御部(１３０〜１６０)と、トランスミッションの変速比を設定する基本変速モードとその基本変速モードに比較して大きい変速比が選択される駆動力重視変速モードとを備え、フェールセーフ制御が必要であるときに駆動力重視変速モードを禁止して基本変速モードに制限して制御用アクセル操作量に基づいて変速制御するトランスミッション制御部(２００)と、を備える。【選択図】図１
2011219023.tif 000002
【特許請求の範囲】
【請求項１】
アクセルペダル及びブレーキペダルの両方の踏み込みに基づいて、フェールセーフ制御が必要であるか否かを判定するフェールセーフ判定部と、
アクセル操作量に基づいて、エンジンを制御するための制御用アクセル操作量を設定し、フェールセーフ制御が必要であるときに、制限された制御用アクセル操作量に基づいてエンジン出力を制限するエンジン制御部と、
トランスミッションの変速比を設定する基本変速モードと駆動力重視変速モードとを備え、駆動力重視変速モードは基本変速モードと比較して大きい変速比が選択され、フェールセーフ制御が必要であるときに、駆動力重視変速モードを禁止して基本変速モードに制限し、前記制御用アクセル操作量に基づいて変速制御するトランスミッション制御部と、
を備える車両の駆動力制御装置。
【請求項２】
請求項１に記載の車両の駆動力制御装置において、
前記トランスミッション制御部は、ドライバーの意思に基づいて駆動力重視変速モードを採用する、
ことを特徴とする車両の駆動力制御装置。
【請求項３】
請求項１に記載の車両の駆動力制御装置において、
前記トランスミッション制御部は、ドライバーの運転性向又は運転環境に基づいて駆動力重視変速モードを採用する、
ことを特徴とする車両の駆動力制御装置。
【請求項４】
請求項１から請求項３までのいずれか１項に記載の車両の駆動力制御装置において、
前記トランスミッション制御部は、前記フェールセーフ判定があって所定時間経過してから、駆動力重視変速モードを禁止して基本変速モードに制限する、
ことを特徴とする車両の駆動力制御装置。
【請求項５】
請求項１から請求項４までのいずれか１項に記載の車両の駆動力制御装置において、
前記トランスミッション制御部は、フェールセーフ制御が不要と判定されたら、アクセルペダルがオフされるのを待って、変速モードの制限を解除する、
ことを特徴とする車両の駆動力制御装置。
【発明の詳細な説明】
【技術分野】
【０００１】
この発明は、車両の駆動力を制御する装置に関する。
【背景技術】
【０００２】
アクセルペダルの操作量を電気信号に変換して、この信号に基づいてアクチュエーターを駆動してスロットルバルブの開度を調整する、いわゆるドライブ・バイ・ワイヤ(drive-by-wire)システムが広く採用されている。
【０００３】
また、アクセルペダルに何らかの不具合、たとえば、ドライバーがフロアマットを新たに設置し、アクセルペダルがこの新たに設置したフロアマットに引っかかることにより、踏み込んだまま戻らなくなったとしても、ブレーキペダルを踏み込めば車両を停止させることができるようにすることが求められる。
特許文献１には、車速が所定車速より小さく、かつ、アクセルペダルが所定量以上踏み込まれているときに、ブレーキペダルが踏み込まれていれば、スロット弁開度を所定開度に制限することが記載されている。
【０００４】
そして、特許文献２では、スロットルバルブが固着した場合に備えて、アクセルペダルがたとえ踏まれていると検知したときでも、ブレーキペダルが踏まれている間、トランスミッションを最小変速比に制御する。
【先行技術文献】
【特許文献】
【０００５】
【特許文献１】特開平１１−１８２２７４号公報
【特許文献２】特開平４−５０５５１号公報
【発明の概要】
【発明が解決しようとする課題】
【０００６】
ところで、最近の車両には、ドライバーの好みや車両の運転状態によってより大きな車両駆動力を得るために、変速比が大きくなる方向に変速特性が設定されたスポーツモードレンジや、変速比を最大変速比に固定するＬモードレンジが設定されている。このように車両の駆動力を重視した変速特性で走行している状態で、前述の特許文献１のようにスロット弁開度を所定開度に制限し、さらに、前述した特許文献２のようにトランスミッションを最小変速比に制御すると、エンジンブレーキを活用できず、また、車両の運転状態によっては車両が予期せぬ挙動を発生する場合がある。
【０００７】
本発明は、このような従来の問題点に着目してなされたものであり、何らかの原因によってアクセルペダルが戻らない事態に陥っても、駆動力を十分に低減できる車両の駆動力制御装置を提供することを目的とする。
【課題を解決するための手段】
【０００８】
本発明は以下のような解決手段によって前記課題を解決する。
【０００９】
本発明の車両の駆動力を制御する装置は、アクセルペダル及びブレーキペダルの両方の踏み込みに基づいて、フェールセーフ制御が必要であるか否かを判定するフェールセーフ判定部と、アクセル操作量に基づいて、エンジンを制御するための制御用アクセル操作量を設定し、フェールセーフ制御が必要であるときに、制限された制御用アクセル操作量に基づいてエンジン出力を制限するエンジン制御部と、トランスミッションの変速比を設定する基本変速モードと駆動力重視変速モードとを備え、駆動力重視変速モードは基本変速モードと比較して大きい変速比が選択され、フェールセーフ制御が必要であるときに、駆動力重視変速モードを禁止して基本変速モードに制限し、前記制御用アクセル操作量に基づいて変速制御するトランスミッション制御部と、を備える。
【発明の効果】
【００１０】
本発明によれば、フェールセーフ制御が必要であるときには、エンジン出力を制限するとともに、駆動力重視変速モードを禁止して基本変速モードに制限するようにしたので、エンジン出力が低下とともに変速比が十分に小さくなり、車両の駆動力が低下する。またマスターバックの負圧が大きくなってブレーキが効きやすくなるので、車速が十分に低下し安全に停止することができる。
【図面の簡単な説明】
【００１１】
【図１】本発明による車両の駆動力制御装置の第１実施形態を示す機能ブロック図である。
【図２】フェールセーフ制御判定ユニット１１０の制御ルーチンを説明する図である。
【図３】制御用アクセル操作量出力ユニット１３０の制御ルーチンを説明する図である。
【図４】ＡＴＣＵ２００の制御ルーチンを説明する図である。
【図５】ＡＴＣＵ２００のマップ採用処理ルーチンを説明する図である。
【図６】変速マップを例示する図である。
【図７】本発明による車両の駆動力制御装置の第２実施形態のＡＴＣＵ２００の制御ルーチンを説明する図である。
【図８】本発明による車両の駆動力制御装置の第３実施形態のＡＴＣＵ２００の制御ルーチンを説明する図である。
【発明を実施するための形態】
【００１２】
以下では図面等を参照して本発明を実施するための形態について、さらに詳しく説明する。
（第１実施形態）
図１は、本発明による車両の駆動力制御装置の第１実施形態を示す機能ブロック図である。
【００１３】
本発明による車両の駆動力制御装置は、何らかの異状事態、たとえば、ドライバーがフロアマットを新たに設置し、アクセルペダルがこの新たに設置したフロアマットに引っかかることによってアクセルペダルから足を離してもアクセルペダルが戻らなくなっても、車両を安全に停止可能にする駆動力制御装置である。
【００１４】
車両の駆動力制御装置１は、エンジンコントロールモジュール(Engine Control Module；以下「ＥＣＭ」と称す)１００と、オートマチックトランスミッションコントロールユニット(Automatic Transmission Control Unit；以下「ＡＴＣＵ」と称す)２００と、を含む。車両の駆動力制御装置１は、スタートスイッチがオンされると、微小時間(たとえば数ミリ秒)ごとに以下の制御を繰り返し実行する。
【００１５】
なお本実施形態では、ＥＣＭ１００とＡＴＣＵ２００とを分けて図示しているが、単一のコントローラーであってもよい。
【００１６】
以下では実施形態の理解を容易にするために、各コントローラーの機能を仮想的なユニットとして説明する。
【００１７】
ＥＣＭ１００は、フェールセーフ制御判定ユニット１１０と、Ａ／Ｄ変換ユニット１２０と、制御用アクセル操作量出力ユニット１３０と、トルク変換各種補正ユニット１４０と、スロットル目標開度変換ユニット１５０と、スロットルモーター制御ユニット１６０と、を含む。
【００１８】
フェールセーフ制御判定ユニット１１０は、ニュートラルスイッチ信号、車速信号、ブレーキスイッチ信号、アクセル実操作量に基づいてフェールセーフ制御が必要であるか否かを判定する。詳細は、後述する。なおニュートラルスイッチ信号は、シフトレバーがＮレンジ又はＰレンジのときにオン／それ以外のレンジのときにオフとなる信号である。ブレーキスイッチ信号は、ブレーキが踏まれていればオン／踏まれていなければオフとなる信号である。アクセル操作量センサーは、アクセルペダルの実操作量を検出して電圧として出力する。
【００１９】
Ａ／Ｄ変換ユニット１２０は、電圧として出力されたアクセル操作量センサー信号をアクセル実操作量に換算する。
【００２０】
制御用アクセル操作量出力ユニット１３０は、エンジン及びオートマチックトランスミッションを制御するためのアクセル操作量を出力する。詳細は、後述する。
【００２１】
トルク変換各種補正ユニット１４０は、制御用アクセル操作量に基づいて必要なエンジントルクを演算する。そして、そのエンジントルクを、ビークルダイナミックコントロール(Vehicle Dynamic Control)、トラクションコントロール(Traction Control)、クルーズコントロール(Cruise Control)のような、車両側からの要求トルクで補正して、目標トルクを算出する。
【００２２】
スロットル目標開度変換ユニット１５０は、算出された目標トルクに基づいて、吸気スロットルの目標開度を算出する。
【００２３】
スロットルモーター制御ユニット１６０は、算出された目標開度になるように、スロットルモーターを制御する。
【００２４】
ＡＴＣＵ２００は、フェールセーフ制御判定信号に基づいて、オートマチックトランスミッションをコントロールする。詳細は、後述する。
【００２５】
図２は、フェールセーフ制御判定ユニット１１０の制御ルーチンを説明する図である。
【００２６】
ステップＳ１１１においてＥＣＭ１００は、フェールセーフ制御中であるか否かを判定する。具体的にはフェールセーフ制御フラグが「１」であればフェールセーフ制御中であると判定する。フェールセーフ制御フラグが「０」であればフェールセーフ制御中ではないと判定する。制御中でなければＥＣＭ１００はステップＳ１１２に処理を移行する。制御中であればＥＣＭ１００はステップＳ１１７に処理を移行する。
【００２７】
ステップＳ１１２においてＥＣＭ１００は、ニュートラルスイッチがオンであるか否かを判定する。オンであればＥＣＭ１００はステップＳ１１３に処理を移行する。オフであればＥＣＭ１００は一旦処理を抜ける。
【００２８】
ステップＳ１１３においてＥＣＭ１００は、アクセル操作量が基準値よりも大きいか否かを判定する。大きければＥＣＭ１００はステップＳ１１４に処理を移行する。大きくなければＥＣＭ１００は一旦処理を抜ける。
【００２９】
ステップＳ１１４においてＥＣＭ１００は、ブレーキスイッチがオンであるか否かを判定する。オフであればＥＣＭ１００は一旦処理を抜ける。オンであればＥＣＭ１００はステップＳ１１５に処理を移行する。
【００３０】
ステップＳ１１５においてＥＣＭ１００は、車速が基準値よりも大きいか否かを判定する。大きくなければＥＣＭ１００は一旦処理を抜ける。大きければＥＣＭ１００はステップＳ１１６に処理を移行する。
【００３１】
ステップＳ１１６においてＥＣＭ１００は、フェールセーフ制御フラグに「１」をセットする。
【００３２】
ステップＳ１１７においてＥＣＭ１００は、ブレーキスイッチがオフであるか否かを判定する。オンであればＥＣＭ１００は一旦処理を抜ける。オフであればＥＣＭ１００はステップＳ１１８に処理を移行する。
【００３３】
ステップＳ１１８においてＥＣＭ１００は、フェールセーフ制御フラグに「０」をセットする。
【００３４】
図３は、制御用アクセル操作量出力ユニット１３０の制御ルーチンを説明する図である。
【００３５】
ステップＳ１３１においてＥＣＭ１００は、フェールセーフ制御フラグが「１」であるか否かを判定する。「０」であればＥＣＭ１００はステップＳ１３２に処理を移行する。「１」であればＥＣＭ１００はステップＳ１３３に処理を移行する。
【００３６】
ステップＳ１３２においてＥＣＭ１００は、アクセル操作量制限値としてフルオープン値を設定する。したがって実質的にはアクセル操作量を制限しない。
【００３７】
ステップＳ１３３においてＥＣＭ１００は、アクセル操作量制限値として所定リミット値を設定する。この所定リミット値は、車両の仕様に応じて予め決められている。
【００３８】
ステップＳ１３４においてＥＣＭ１００は、アクセル実操作量がアクセル操作量制限値を超えるか否かを判定する。超えなければＥＣＭ１００はステップＳ１３５に処理を移行する。超えればＥＣＭ１００はステップＳ１３６に処理を移行する。
【００３９】
ステップＳ１３５においてＥＣＭ１００は、制御用アクセル操作量としてアクセル実操作量を出力する。
【００４０】
ステップＳ１３６においてＥＣＭ１００は、制御用アクセル操作量としてアクセル操作量制限値を出力する。
【００４１】
図４は、ＡＴＣＵ２００の制御ルーチンを説明する図である。
【００４２】
ステップＳ２０１においてＡＴＣＵ２００は、フェールセーフ制御フラグが「１」であるか否かを判定する。「０」であればＡＴＣＵ２００はステップＳ２０２に処理を移行する。「１」であればＡＴＣＵ２００はステップＳ２０３に処理を移行する。
【００４３】
ステップＳ２０２においてＡＴＣＵ２００は、通常の処理で変速マップを採用する。なお変速マップについては後述する。
【００４４】
ステップＳ２０３においてＡＴＣＵ２００は、駆動力重視変速マップを禁止して基本変速マップに制限する。
【００４５】
ステップＳ２０４においてＡＴＣＵ２００は、車速と制御用アクセル操作量とを変速マップに適用して変速制御する。
【００４６】
図５は、ＡＴＣＵ２００のマップ採用処理ルーチンを説明する図である。
【００４７】
ステップＳ２０２１においてＡＴＣＵ２００は、駆動力重視変速マップを採用する必要があるか否かを判定する。たとえばドライバーが変速比が大きくなる方向に変速特性が設定されたスポーツモードレンジを自らの意思で選択している場合には駆動力重視変速マップを採用する必要があると判定する。またドライバーの運転性向に基づいて駆動力重視変速マップを採用する必要があるか否かを判定してもよい。さらに運転環境に基づいて駆動力重視変速マップを採用する必要があるか否かを判定してもよい。すなわち変速数から想定される加速度よりも大きければ運転環境が上り坂であると判定して、駆動力重視変速マップを採用する必要があると判定してもよい。変速数から想定される加速度よりも小さければ運転環境が下り坂であると判定して、エンジンブレーキを効かすために駆動力重視変速マップを採用する必要があると判定してもよい。
【００４８】
駆動力重視変速マップを採用する必要がなければ、ＡＴＣＵ２００はステップＳ２０２２に処理を移行する。駆動力重視変速マップを採用する必要があれば、ＡＴＣＵ２００はステップＳ２０２３に処理を移行する。
【００４９】
ステップＳ２０２２においてＡＴＣＵ２００は、基本変速マップを採用する。
【００５０】
ステップＳ２０２３においてＡＴＣＵ２００は、駆動力重視変速マップを採用する。
【００５１】
図６は、変速マップを例示する図であり、図６(Ａ)は基本変速マップを示し、図６(Ｂ)は駆動力重視変速マップを示す。
【００５２】
図６(Ａ)は通常の走行時に使用される基本変速マップの一例である。
【００５３】
横軸が車速であり、縦軸がアクセル操作量である。図中太線がシフトアップで使用される変速ラインである。図中細線がシフトダウンで使用される変速ラインである。
【００５４】
図６(Ｂ)は通常の走行よりも大きな駆動力が要求されるときに使用される駆動力重視変速マップの一例である。
【００５５】
図６(Ａ)の基本変速マップと図６(Ｂ)の駆動力重視変速マップとを比較すると、特にアクセル操作量が小さい領域において、駆動力重視変速マップのほうが基本変速マップよりもロー側の変速数、すなわち大きい変速比が選択されることが判る。換言すれば基本変速マップのほうが駆動力重視変速マップよりもハイ側の変速数、すなわち小さい変速比が選択されることが判る。
【００５６】
本実施形態の制御を実行すると以下のようになる。
【００５７】
すなわち走行中に、何らかの異状事態によってアクセルペダルから足を離してもアクセルペダルが戻らなくなっても、ブレーキペダルが踏まれると、フェールセーフ制御判定ユニット１１０は、ステップＳ１１１→Ｓ１１２→Ｓ１１３→Ｓ１１４→Ｓ１１５→Ｓ１１６と処理して、フェールセーフ制御フラグに「１」をセットする。
【００５８】
そして、制御用アクセル操作量出力ユニット１３０は、ステップＳ１３１→Ｓ１３３→Ｓ１３４→Ｓ１３６と処理して、制御用アクセル操作量として、アクセル実操作量よりも小さいアクセル操作量制限値を出力する。そして、トルク変換各種補正ユニット１４０が目標トルクを算出し、スロットル目標開度変換ユニット１５０が吸気スロットルの目標開度を算出し、スロットルモーター制御ユニット１６０がスロットルモーターを制御する。これによってスロットル開度が絞られてエンジン出力が低下する。またスロットル開度が絞られると吸気負圧が上昇するので、マスターバックの負圧が大きくなりブレーキが効きやすくなる。
【００５９】
一方、ＡＴＣＵ２００は、ステップＳ２０１→Ｓ２０３→Ｓ２０４と処理して、駆動力重視変速マップを禁止して基本変速マップに制限する。上述のように、基本変速マップのほうが駆動力重視変速マップよりもハイ側の変速数、すなわち小さい変速比が選択される。
【００６０】
図６(Ｂ)の駆動力重視変速マップのＡ点で走行している場合であって２速に制御されているときにフェールセーフ制御フラグが「１」にセットされると、図６(Ａ)の基本変速マップに切り替わる。またアクセル実操作量よりも小さいアクセル操作量制限値が制御用アクセル操作量として採用されるので、白抜き矢印のように、途中のＢ点で３速にシフトアップされ、さらに、途中のＣ点で４速にシフトアップされる。もし仮に、フェールセーフ制御フラグが「１」にセットされても、変速マップが切り替わらずに駆動力重視変速マップのままであると、図６（Ｂ）の白抜き矢印のように、途中のＤ点で３速にシフトアップされるだけである。
【００６１】
車両の駆動力は、エンジン出力と変速比との積算に比例する。本実施形態では駆動力重視変速マップ(駆動力重視変速モード)が選択されている場合に、単に変速比を下げるのではなく、変速マップを基本変速マップ(基本変速モード)に切り替える。このようにすることで、エンジン出力が低下とともに変速比が十分に小さくなり、車両の駆動力が低下する。またマスターバックの負圧が大きくなってブレーキが効きやすくなるので、車速が十分に低下し安全に停止することができる。
【００６２】
なお変速比を最小変速比まで下げては、エンジンブレーキを活用できない。また駆動力が大きく変化して、車両が予期せぬ挙動を発生する可能性がある。これに対して本実施形態では、駆動力重視変速マップ(駆動力重視変速モード)が選択されている場合に、単に変速比を下げるのではなく、変速マップを基本変速マップ(基本変速モード)に切り替えることで、車速やアクセル操作量に適した範囲で変速比が下がり、車速が十分に低下し安全に停止することができるのである。
【００６３】
（第２実施形態）
図７は、本発明による車両の駆動力制御装置の第２実施形態のＡＴＣＵ２００の制御ルーチンを説明する図である。
【００６４】
なお以下では前述と同様の機能を果たす部分には同一の符号を付して重複する説明を適宜省略する。
【００６５】
ステップＳ２１１においてＡＴＣＵ２００は、フェールセーフカウンターをリセットする。
【００６６】
ステップＳ２１２においてＡＴＣＵ２００は、フェールセーフカウンターをインクリメントする。
【００６７】
ステップＳ２１３においてＡＴＣＵ２００は、フェールセーフカウンターに基づいて所定時間が経過したか否かを判定する。上述のように、この処理は一定時間ごとに実行されるので、インクリメントされたフェールセーフカウンターによってフェールセーフ制御フラグが「１」になってからの経過時間が判る。所定時間が経過するまではＡＴＣＵ２００はステップＳ２０２に処理を移行する。所定時間が経過したらＡＴＣＵ２００はステップＳ２０３に処理を移行する。
【００６８】
本実施形態の制御を実行すると以下のようになる。
【００６９】
ＡＴＣＵ２００は、フェールセーフ制御フラグが「１」になったら、ステップＳ２０１→Ｓ２１２→Ｓ２１３と処理する。そして所定時間が経過したらステップＳ２１３→Ｓ２０３と処理して駆動力重視変速マップを禁止して基本変速マップに制限する。
【００７０】
ドライバーが誤ってブレーキを踏む場合がある。このような場合は、ドライバーはすぐにブレーキから足を離す。このような場合にフェールセーフ制御フラグが「１」になって即オートマチックトランスミッションを制御すると、ドライバーがすぐにブレーキから足を離したら再びオートマチックトランスミッションを制御しなければならなくなってしまう。
【００７１】
しかしながらオートマチックトランスミッションは、エンジンに比べて応答に時間を要する。また、ひとつのシーケンスが完了するまでは次のシーケンスを実行できない。したがってブレーキペダルから足を離して遅れて変速制御が開始することとなる。そして変速ショックが生じるので、ドライバーは違和感を感じてしまう。
【００７２】
これに対して本実施形態では、所定時間の経過を待って駆動力重視変速マップを禁止して基本変速マップに制限する。したがって、ドライバーが誤ってブレーキを踏む場合については、オートマチックトランスミッションを制御しない。したがって、上述のような違和感を生じさせない。
【００７３】
（第３実施形態）
図８は、本発明による車両の駆動力制御装置の第３実施形態のＡＴＣＵ２００の制御ルーチンを説明する図である。
【００７４】
ステップＳ２２１においてＡＴＣＵ２００は、アクセルペダルがオフされたか否かを判定する。アクセルペダルがオフされなければＡＴＣＵ２００は、ステップＳ２０４へ処理を移行する。アクセルペダルがオフされたらＡＴＣＵ２００は、ステップＳ２０２へ処理を移行する。なおステップＳ２０２では、マップ採用を通常処理する。仮に基本変速マップに制限されておらず、もともと通常処理していれば、ステップＳ２０２の前後で処理は変更されない。
【００７５】
本実施形態の制御を実行すると以下のようになる。
【００７６】
ＡＴＣＵ２００は、フェールセーフ制御フラグが「０」になったら、ステップＳ２０１→Ｓ２２１→Ｓ２０４と処理する。そしてアクセルペダルから足が離されたらステップＳＳ２２１→Ｓ２０２と処理してマップ採用を通常処理する。
【００７７】
もともと駆動力重視変速マップを採用していた場合に、一旦ステップＳ２０３で基本変速マップに制限されてから通常処理すると、再び駆動力重視変速マップを採用することになる。この場合にドライバーがアクセルペダルを踏んでいるにもかかわらず、変速マップを切り替えては、急激なシフトダウン(キックダウン)によって、ドライバーは大きな変速ショックを感じてしまう。しかしながら本実施形態のように、アクセルがオフされるのを待って通常処理するようにした。このとき駆動力重視変速マップを採用されても、大きな変速ショックを生じない。
【００７８】
なおもともと基本変速マップを採用していた場合には、通常処理しても変速マップは変わらない。
【００７９】
以上説明した実施形態に限定されることなく、その技術的思想の範囲内において種々の変形や変更が可能であり、それらも本発明の技術的範囲に含まれることが明白である。
【００８０】
たとえば運転環境を判定するときに、カーナビゲーションシステムの情報を利用してもよい。
【００８１】
また、駆動力重視変速モードとして、変速比を最大変速比に固定するＬモードレンジや、ドライバーの意思に沿って変速できるマニュアルモードを使うこともできる。
【符号の説明】
【００８２】
１００  エンジンコントロールモジュール(ＥＣＭ)
１１０  フェールセーフ制御判定ユニット(フェールセーフ判定部)
１３０  制御用アクセル操作量出力ユニット(エンジン制御部)
１４０  トルク変換各種補正ユニット(エンジン制御部)
１５０  スロットル目標開度変換ユニット(エンジン制御部)
１６０  スロットルモーター制御ユニット(エンジン制御部)
２００  オートマチックトランスミッションコントロールユニット(トランスミッション制御部)
【図１】
2011219023.tif 000003
【図２】
2011219023.tif 000004
【図３】
2011219023.tif 000005
【図４】
2011219023.tif 000006
【図５】
2011219023.tif 000007
【図６】
2011219023.tif 000008
【図７】
2011219023.tif 000009
【図８】
2011219023.tif 000010